(57)【要約】      （修正有）【課題】分解・組み立てが容易に出来、持ち運びに便利で、コンパクト収納が可能な講演台を提供する。【解決手段】棚板をはずし、側面板をたたむことにより、持ち運びに便利で、コンパクト収納が可能となる。講演台の棚板３の分離後、側面板１と正面板２は折りたたまれる。この際、側面板は左右対称ではなく片側に側面板の厚み分だけ段差を儲けてあるため、講演台に傷が付かず収納しやすいよう平行に折りたたむ事が可能である。【選択図】図１
0003162364.tif 000002
【実用新案登録請求の範囲】
【請求項１】
側面板と正面板と棚板から成る折りたたみ可能な講演台。
【請求項２】
前記講演台において、棚板をはずし、側面板をたたむことが可能な請求項１に記載の講演台。
【請求項３】
２枚の側面板と１枚の正面板と２枚の棚板からなる請求項１または２に記載の講演台。
【請求項４】
側面板を正面板に折り重ねるようにたたむことが可能な請求項１から３のいずれかに記載の講演台。
【請求項５】
一方の側面板の折りたたみ部分が他方の側面板の厚さ分だけ正面板から離れており、２枚の側面板を正面板に平行に折りたたむことが可能な請求項１から４のいずれかに記載の講演台。
【考案の詳細な説明】
【技術分野】
【０００１】
本考案は、講演台に関する。
【背景技術】
【０００２】
日本では一般的に講演台は、日常的に使うものではないにもかかわらず場所をとり、その移動にも大きさ形状の点から困難であるという難点があった。
【特許文献１】特許公開２００５−３２８５１１特許公開平０７−１３６０２３
【考案の開示】
【考案が解決しようとする課題】
【０００３】
背景技術に記載したように、講演台は、日常的に使うものではないにもかかわらず場所をとり、その移動にも大きさ形状の点から困難であるという難点があった。
そこで本考案は、前記講演台の使用者が、分解・組み立てが容易に出来、折りたたみが可能なため、持ち運びに便利で、コンパクト収納が可能な台を提供することを目的とする。
【課題を解決するための手段】
【０００４】
上記課題を解決するために本考案者は鋭意検討し、講演台の棚板をはずし、側面板をたたむことにより、持ち運びに便利で、コンパクト収納が可能となる事を見いだし、本考案を完成した。
【考案の効果】
【０００５】
本考案の講演台は、棚板をはずし、側面板をたたむことにより、持ち運びに便利で、コンパクト収納が可能となる。
【考案を実施するための最良の形態】
【０００６】
本考案の折りたたみ可能な講演台を実施するための最良の形態を説明する。
本考案は、図に示すように、側面板と正面板と棚板から成る折りたたみ可能な講演台である。
【０００７】
前記講演台は、図に示すように、側面板正面板を開き、そこに棚板が合体し作られる。
【０００８】
また、図に示すように、前記講演台の棚板の分離後、側面板と正面板は折りたたまれる。この際、側面板は左右対称ではなく片側に側面板の厚み分だけ段差を儲けてあるため、講演台に傷が付かず収納しやすいよう平行に折りたたむ事が可能である。
【０００９】
本考案における講演台とは、司会者や講演者その他話をする人が、スピーチや演説を行う台または机である。
【００１０】
本考案における板とは、板状のものである限り材質は問わず、ベニア・プラスチック・メラミンなどを上げることが可能である。
【産業上の利用可能性】
【００１１】
本考案は、会議室や宴会場など人の集まる場所にて、司会者や講演者その他話をする人が、スピーチや演説等を行う台であるが、その他様々なシチュエーションの台等として使用することも可能である。
【図面の簡単な説明】
【００１２】
【図１】の（イ）が、背面から見た図・（ロ）が、上から見た図・（ハ）が、側面から見た図・（ニ）が、斜めから見た図・
【図２】の（ホ）が、折りたたんだときの側面板を横から見た図・（ヘ）が、同じく折りたたんだときの側面板を段差がわかるように斜めから見た図・（ト）が、棚板の図である。
【符号の説明】
【００１３】
１      側面板
２      正面板
３      棚板
４      高さ調整アジャスター
【図１】
0003162364.tif 000003
【図２】
0003162364.tif 000004
【手続補正書】
【提出日】平成22年6月9日(2010.6.9)
【手続補正１】
【補正対象書類名】実用新案登録請求の範囲
【補正対象項目名】全文
【補正方法】変更
【補正の内容】
【実用新案登録請求の範囲】
【請求項１】
２枚の側面板と、１枚の正面板と、１枚若しくは複数枚の棚板と、から成る折りたたみ可能な講演台であって、
正面板の左右側端辺には夫々側面板が正面板に対し略直立方向から内側へ回動自在に備えられており、該側面板を正面板に対し略直立方向に展開した状態で２枚の側面板と１枚の正面板とでできる領域内において、側面板若しくは正面板に対し棚板が合体若しくは分離可能となっており、
棚板を分離した状態で、正面板に対し、左右の側面板が夫々重なるように折りたたむことが可能であることを特徴とする講演台。
【請求項２】
２枚の側面板と、１枚の正面板と、１枚若しくは複数枚の棚板と、から成る折りたたみ可能な講演台であって、
正面板の左右側端辺には夫々側面板が備えられており、一方の側面板は正面板に対し略直立方向から内側へ回動自在に備えられるとともに、他方の側面板は正面板に対し略直立方向に固定的に備えられ且つ一方の側面板の厚さ分だけ正面板から離れた箇所が内側へ回動自在となっており、該側面板を正面板に対し略直立方向に展開した状態で２枚の側面板と１枚の正面板とでできる領域内において、側面板若しくは正面板に対し棚板が合体若しくは分離可能となっており、
棚板を分離した状態で、正面板に対し、左右の側面板が夫々平行に重なるように折りたたむことが可能であることを特徴とする講演台。
【手続補正２】
【補正対象書類名】明細書
【補正対象項目名】０００４
【補正方法】変更
【補正の内容】
【０００４】  上記課題を解決するために本考案者は鋭意検討し、講演台の棚板をはずし、側面板をたたむことにより、持ち運びに便利で、コンパクト収納が可能となる事を見いだし、本考案を完成した。
具体的には、２枚の側面板と、１枚の正面板と、１枚若しくは複数枚の棚板と、から成る折りたたみ可能な講演台であって、正面板の左右側端辺には夫々側面板が正面板に対し略直立方向から内側へ回動自在に備えられており、該側面板を正面板に対し略直立方向に展開した状態で２枚の側面板と１枚の正面板とでできる領域内において、側面板若しくは正面板に対し棚板が合体若しくは分離可能となっており、棚板を分離した状態で、正面板に対し、左右の側面板が夫々重なるように折りたたむことが可能である構成となっている。
また、２枚の側面板と、１枚の正面板と、１枚若しくは複数枚の棚板と、から成る折りたたみ可能な講演台であって、正面板の左右側端辺には夫々側面板が備えられており、一方の側面板は正面板に対し略直立方向から内側へ回動自在に備えられるとともに、他方の側面板は正面板に対し略直立方向に固定的に備えられ且つ一方の側面板の厚さ分だけ正面板から離れた箇所が内側へ回動自在となっており、該側面板を正面板に対し略直立方向に展開した状態で２枚の側面板と１枚の正面板とでできる領域内において、側面板若しくは正面板に対し棚板が合体若しくは分離可能となっており、棚板を分離した状態で、正面板に対し、左右の側面板が夫々平行に重なるように折りたたむことが可能である構成も考え得る。